(57)【要約】【課題】電圧が変化した場合でも、駆動部によって駆動するロック機構の係合部を所定の位置に位置するように制御することが可能な移動体移動装置を提供する。【解決手段】移動体移動装置は、基体に対して開位置と閉位置との間で移動する移動体と、被係合部と、被係合部に係合する係合部と、係合作動及び解除作動を行う駆動部と、係合部の位置を検知する位置検知部とを有するロック機構と、駆動部を制御する制御部と、駆動部の電圧を測定する電圧検知部と、を備えた移動体移動装置であって、制御部は、係合部の移動開始位置から所定位置までの移動に要した時間に対して、該移動の初期の電圧を乗じた基準電気量を算出し、移動開始位置から所定位置までの移動において位置検知部が異常であると判断したときに、該移動の際の移動開始位置からの移動の移動初期電圧と基準電気量から必要駆動時間を算出して、駆動部を必要駆動時間だけ駆動させる。【選択図】図４
2020094381.tif 000002
【特許請求の範囲】
【請求項１】
基体に対して開位置と閉位置との間で移動する移動体と、
前記基体及び前記移動体の一方に設けられた被係合部と、
前記基体及び前記移動体の他方に設けられて前記被係合部に係合する係合部と、前記係合部と、前記被係合部との係合作動及び解除作動を行う駆動部と、前記係合部の位置を検知する位置検知部とを有するロック機構と、
前記駆動部による係合作動と解除作動とを制御する制御部と、
前記駆動部の電圧を測定する電圧検知部と、
を備えた移動体移動装置であって、
前記制御部は、
前記係合部の移動開始位置から所定位置までの移動に要した時間に対して、該移動の初期の電圧を乗じた基準電気量を算出し、
前記移動開始位置から前記所定位置までの移動において前記位置検知部が異常であると判断したときに、該移動の際の前記移動開始位置からの移動の移動初期電圧と前記基準電気量から必要駆動時間を算出して、前記駆動部を前記必要駆動時間だけ駆動させる、
移動体移動装置。
【請求項２】
前記制御部は、前記係合部の過去の移動履歴のうち、前記位置検知部が異常ではないと判断したときにおける、最新の移動に要した時間に基づいて、前記基準電気量を算出する、
請求項１に記載の移動体移動装置。
【請求項３】
前記必要駆動時間は、前記係合部が、現在位置から前記所定位置まで移動するのに必要となる駆動時間である、
請求項１または請求項２に記載の移動体移動装置。
【発明の詳細な説明】
【技術分野】
【０００１】
本発明は、移動体移動装置に関する。
【背景技術】
【０００２】
基体の開口部を開状態または閉状態とする移動体については、閉位置において移動体の被係合部がラッチ等のロック機構の係合部と係合して移動体がロックされる。このとき、係合部は、位置検知部からの情報に基づいて駆動部が駆動し、被係合部と係合可能な所定の位置へと移動する。
【０００３】
しかし、位置検知部の故障により係合部が、被係合部と係合可能な所定の位置へと移動できない場合には、移動体の被係合部とロック機構の係合部とが係合することができず、移動体をロック状態とすることができず、また、過剰な移動によってモータ等に障害が生じることも考えられる。
【０００４】
このような問題に対しては、例えば特許文献１には、ロック機構であるクロージャのモータによる復帰回動時に、復帰確認スイッチが故障しても、一旦全閉位置まで閉じてからモータの一定時間の逆回転によってラッチを所定の位置に復帰させる自動ドア閉止装置が提案されている。
【先行技術文献】
【特許文献】
【０００５】
【特許文献１】実公平０８−００２３８１号公報
【発明の概要】
【発明が解決しようとする課題】
【０００６】
しかし、このような一定時間のモータの回転により、所定の位置にラッチを移動させる装置を用いた場合には、温度や作動環境によって電圧が変化してしまうと、移動後のラッチの位置が所定の位置とは異なる位置となる場合がある。
【０００７】
本発明の目的は、電圧が変化した場合でも、駆動部によって駆動するロック機構の係合部を所定の位置に位置するように制御することが可能な移動体移動装置を提供することである。
【課題を解決するための手段】
【０００８】
本発明の移動体移動装置は、
基体に対して開位置と閉位置との間で移動する移動体と、
前記基体及び前記移動体の一方に設けられた被係合部と、
前記基体及び前記移動体の他方に設けられて前記被係合部に係合する係合部と、前記係合部と、前記被係合部との係合作動及び解除作動を行う駆動部と、前記係合部の位置を検知する位置検知部とを有するロック機構と、
前記駆動部による係合作動と解除作動とを制御する制御部と、
前記駆動部の電圧を測定する電圧検知部と、
を備えた移動体移動装置であって、
前記制御部は、
前記係合部の移動開始位置から所定位置までの移動に要した時間に対して、該移動の初期の電圧を乗じた基準電気量を算出し、
前記移動開始位置から前記所定位置までの移動において前記位置検知部が異常であると判断したときに、該移動の際の前記移動開始位置からの移動の移動初期電圧と前記基準電気量から必要駆動時間を算出して、前記駆動部を前記必要駆動時間だけ駆動させる。
【発明の効果】
【０００９】
本発明によれば、電圧が変化した場合でも、駆動部によって駆動するロック機構の係合部を所定の位置に位置するように制御することができる。
【図面の簡単な説明】
【００１０】
【図１】本発明の実施の形態の移動体移動装置を備えた自動車の概略側面図である。
【図２】本実施の形態の移動体移動装置を備えた自動車後部の部分拡大側面図である。
【図３Ａ】ロック機構におけるフルラッチ状態を示す図である。
【図３Ｂ】ロック機構におけるフルラッチ状態からハーフラッチ状態に遷移する様子を示す図である。
【図３Ｃ】ロック機構におけるハーフラッチ状態を示す図である。
【図３Ｄ】ロック機構におけるアンラッチ状態を示す図である。
【図４】移動体移動装置の制御系の説明に供するブロック図である。
【図５】移動体移動装置におけるラッチの駆動制御の説明に供するフローチャートである。
【発明を実施するための形態】
【００１１】
以下、本実施の形態を図面に基づいて詳細に説明する。なお、本実施の形態では、移動体移動装置１の一例として、バックドアを移動制御する自動車を例示するが、移動体移動装置１は、店舗やガレージ等の構造物に設置されるシャッター、引き戸、開き扉、または、構造物正面の開口の上方に配置される折りたたみ式の庇の移動を制御する装置にも適用可能である。
【００１２】
［移動体移動装置の全体構成］
図１は、本実施の形態の移動体移動装置１を備えた自動車の概略側面図である。
【００１３】
図１に示すように、移動体移動装置１は、基体の一例としての開口部材１０と、移動体２０と、移動体駆動部３０と、制御部５０と、移動体検知部６０（図４参照）と、ロック機構７０（図２参照）と、位置検知部８０（図４参照）と、電圧検知部９０（図４参照）とを備える。
【００１４】
移動体移動装置１は、開口部材１０の開口部１１に対して移動体２０を移動する装置である。
【００１５】
［開口部材］
開口部材１０は、本実施の形態の移動体移動装置１を用いた自動車において、車体の進行方向に対して後部に設けられている。開口部材１０は、この自動車に用いられる車体であり、開口部材１０の縁部によって開口部１１が形成されている。開口部１１の形状は、矩形状、円形状等、どのような形状であっても良い。
【００１６】
［移動体］
移動体２０は、自動車のバックドアであり、開状態（図１参照）または、閉状態（図２参照）に遷移する。移動体２０における開状態は、開口部１１を開放した状態であり、車両の後部においては、荷物等の対象物を、開口部１１を介して外部から後部荷室に入出可能とする状態である。移動体２０における閉状態は、開口部１１を閉塞した状態である。換言すると、閉状態は、荷物等の対象物が開口部１１を通って反対側へ移動することを阻害する位置に移動体２０があるときの状態とすることができる。また、開状態は、当該対象物が開口部１１を通って反対側へ移動することを許容する位置に移動体２０があるときの状態とすることができる。
【００１７】
本実施の形態において、移動体２０の上辺部は、開口部材１０における開口部１１の上縁部側にヒンジとしての軸部を介して回動可能に取り付けられている。移動体２０は、軸部を中心に下辺部側が上下動するように旋回し、開口部１１から接触または離間することにより、移動体２０を開状態または閉状態に遷移させる。本実施の形態では、移動体２０の位置変更が上記の旋回機構によって実現されているが、移動体２０の位置変更のための機構は、旋回に限定されず、移動体２０を開状態または閉状態に遷移させることができればいかなる機構であっても良い。
【００１８】
なお、移動体２０は、開状態または閉状態に遷移可能なものである限り、どのようなものでも良く、例えば、スライドドアであっても良い。
【００１９】
［移動体駆動部］
移動体駆動部３０は、開口部材１０の開口部１１に対して移動体２０を開方向と閉方向とに移動させる。移動体駆動部３０は、複数あっても良い。本実施の形態では、移動体駆動部３０は、移動体２０の左右両端および開口部１１の左右の両縁に１つずつの計２つ設けられている。それぞれの移動体駆動部３０が駆動することにより移動体２０を移動させることで、移動体２０は、開口部材１０に対して相対移動して、開状態または閉状態に遷移する。
【００２０】
２つの移動体駆動部３０は、移動体２０を開状態とする方向（開方向）と、移動体２０を閉状態とする方向（閉方向）とに移動体２０を移動可能であれば、移動体駆動部３０のそれぞれが同方向であって同一駆動量で移動体２０を駆動しても良い。また、２つの移動体駆動部３０のそれぞれが、開方向と閉方向とに移動体２０を移動可能であれば、異なる方向の駆動であっても、異なる駆動量で移動体２０を駆動するようにしても良い。本実施の形態においては、各移動体駆動部３０が同一の駆動を同期して行うように設けられている。
【００２１】
移動体駆動部３０は、開口部材１０と移動体２０とに渡されて、移動体２０が開口部材１０に対して相対移動可能に設けられている。移動体２０が開口部材１０に対して旋回移動するために、移動体駆動部３０のそれぞれは、移動体２０の旋回に追随して旋回しながら駆動可能なように、開口部材１０に対して旋回可能に取り付けられている。
【００２２】
具体的には、各移動体駆動部３０は、伸縮する棒状の外観を有しており、移動体駆動部３０の一端部側に配置され、開口部材１０側に接続される駆動本体部と、移動体駆動部３０の他端部側に配置され、移動体２０側に接続される進退部とを有する。進退部は、駆動本体部の他端部側から出没可能に取り付けられている。
【００２３】
移動体駆動部３０は、駆動本体部に対して進退部を、移動体駆動部３０の長手方向に進退させて移動体２０を全閉位置、つまり、開口部１１を完全に閉塞する位置と、全開位置、つまり、開口部１１を最大限に開放する位置とに移動できる。各移動体駆動部３０は、モータ等の回転運動を直線方向の伸縮運動に変換することにより、移動体２０を開方向または閉方向に移動させる。
【００２４】
移動体駆動部３０は、自動車後部の左右の両端にそれぞれ１つずつの計２個設けられていたが、その使用個数は特に限定されない。また、移動体駆動部３０は、移動体２０の移動を可能とするものであれば、その構造、形状や配置位置に付いては特に限定されない。移動体駆動部３０は、移動体２０を駆動させることができる公知の駆動部を採用することができる。
【００２５】
本実施の形態では、移動体駆動部３０は、本体筒部３１、スライド筒部３２、移動モータ３３（図４参照）、スピンドル（図示省略）、スピンドルナット（図示省略）、付勢部材（図示省略）等を有する。移動体駆動部３０では、本体筒部３１、移動モータ３３、スピンドル、付勢部材等が駆動本体部に対応し、スライド筒部３２、スピンドルナットが進退部に対応する。
【００２６】
本体筒部３１は、一端部側が開口部材１０に旋回可能に固定され、他端部側が開口している。本体筒部３１の内側には、スライド筒部３２が、本体筒部３１の他端部側から出没するように、長手方向にスライド移動可能に配置される。
【００２７】
移動モータ３３は、駆動して、駆動本体部に対し、進退部を長手方向に移動させて移動体駆動部３０を伸縮させる。移動モータ３３は、直流モータまたは交流モータである。移動体移動装置１が自動車に適用される場合には、自動車の直流電源を用いることを考慮して、移動モータ３３として直流モータを適用することが望ましい。なお、移動モータ３３は、制御部５０に接続され、制御部５０により、正回転、逆回転の双方の回転駆動が制御される。
【００２８】
スライド筒部３２は、本体筒部３１の一端側から他端側に向けて付勢部材により付勢されている。スライド筒部３２の内部には、移動モータ３３の回転により軸回りに回転するスピンドルが螺合されたスピンドルナットが設けられている。
【００２９】
移動体駆動部３０は、本体筒部３１とスライド筒部３２とが、スピンドルの回転によって互いに供回りしないように構成されている。移動モータ３３が正逆の一方に回転すると、スピンドルが正逆軸回りの一方に回転し、スピンドルに螺合するスピンドルナットがスピンドルの長手方向に沿って移動する。これに伴い、スピンドルナットを有するスライド筒部３２が進退移動、つまり、長手方向にスライド移動する。これにより、移動体駆動部３０が、伸縮するように可動し、本体筒部３１からスライド筒部３２が進出する長さに対応して、移動体２０が作動する。
【００３０】
［ロック機構］
図２は、本実施の形態の移動体移動装置を備えた自動車後部の部分拡大側面図である。図３Ａは、ロック機構におけるフルラッチ状態を示す図である。図３Ｂは、ロック機構におけるフルラッチ状態からハーフラッチ状態に遷移する様子を示す図である。図３Ｃは、ロック機構におけるハーフラッチ状態を示す図である。図３Ｄは、ロック機構におけるアンラッチ状態を示す図である。
【００３１】
図２および図３Ａに示すように、ロック機構７０は、開口部１１に対して移動体２０を閉状態でロックするために設けられる機構であり、ラッチ７１と、ストライカ７２と、回動軸７３と、ポール７４と、クロージャモータ７５（図４参照）とを有する。
【００３２】
ラッチ７１は、ストライカ７２と係合が可能な部材であり、移動体２０の内側下端部に設けられている。ラッチ７１は、基部７１Ａと、基部７１Ａの上端部から延びる第１アーム７１Ｂと、基部７１Ａの下端部から延びる第２アーム７１Ｃとを有する。第１アーム７１Ｂおよび第２アーム７１Ｃは、基部７１Ａから同じ方向（図３Ａにおける左から右に向かう方向）にそれぞれ延びている。ラッチ７１は、本発明の「係合部」に対応する。
【００３３】
ストライカ７２は、ラッチ７１と係合が可能な部材であり、ラッチ７１の基部７１Ａ、第１アーム７１Ｂおよび第２アーム７１Ｃで形成される凹部７１Ｄに入り込むことが可能な棒状の部分を有している。ストライカ７２の棒状の部分としては、例えば、図２における左右方向に平行な部分である。ストライカ７２は、本発明の「被係合部」に対応する。
【００３４】
ストライカ７２は、移動体２０において、開口部材１０における開口部１１の下縁部分において、移動体２０が閉状態となった際に、当該棒状の部分がラッチ７１にフルラッチ状態で係合するような位置に設けられている。なお、ラッチ７１が開口部材１０側に設けられる場合、ストライカ７２は移動体２０側に設けられる。
【００３５】
ラッチ７１は、回動軸７３を中心に回動可能に構成されている。ラッチ７１は、例えば、クロージャモータ７５の駆動力により回動することで、フルラッチ状態（図３Ａの状態）と、ハーフラッチ状態（図３Ｃの状態）と、アンラッチ状態（図３Ｄの状態）とに遷移する。
【００３６】
フルラッチ状態は、ストライカ７２がラッチ７１によりロックされた状態である。より詳細には、フルラッチ状態は、ストライカ７２がラッチ７１の凹部７１Ｄから離脱できないように係合する完全係合状態である。
【００３７】
ハーフラッチ状態は、フルラッチ状態のときよりもラッチ７１とストライカ７２との係合力が弱い状態である。より詳細には、ハーフラッチ状態は、ストライカ７２が、外力が負荷されることによりラッチ７１の凹部７１Ｄから容易に離脱できる状態であり、ストライカ７２がラッチ７１と係合する位置（フルラッチ状態の位置）へと移動可能な状態である。
【００３８】
アンラッチ状態は、ラッチ７１とストライカ７２との係合が完全に解除された状態である。言い換えると、アンラッチ状態の位置のラッチ７１は、凹部７１Ｄ内にストライカ７２を受入可能な状態である。
【００３９】
また、ラッチ７１は、図示しない付勢部材により、図３Ａ〜図３Ｄにおいて、時計回り方向に回動するように付勢されていても良い。これにより、後述するポール７４の回動を制御して、付勢部材の付勢力によりラッチ７１をフルラッチ状態からアンラッチ状態に回動させることができる。
【００４０】
ポール７４は、ラッチ７１の回動を規制することが可能な部材であり、ラッチ７１の第１アーム７１Ｂおよび第２アーム７１Ｃの何れかと当接可能な位置に設けられている。ポール７４は、回動可能に設けられており、クロージャモータ７５の駆動の下、時計回り方向における上流側から第１位置（図３Ａ参照）、第２位置（図３Ｃ参照）および第３位置（図３Ｄ参照）に位置するように制御される。
【００４１】
クロージャモータ７５は、直流モータまたは交流モータであり、ラッチ７１およびポール７４を回動させることで、ロック機構７０におけるラッチ７１の状態を変更する。なお、クロージャモータ７５は、制御部５０に接続され、制御部５０により、正回転、逆回転の双方の回転駆動が制御される。クロージャモータ７５は、本発明の「駆動部」に対応する。
【００４２】
ここで、ロック機構７０における動作の一例について説明する。まず、ロック機構７０がフルラッチ状態からアンラッチ状態に遷移する際の動作について説明する。
【００４３】
図３Ａに示すように、ポール７４が第１位置のとき、フルラッチ状態のラッチ７１における第２アーム７１Ｃの先端とポール７４とが当接する。これにより、ラッチ７１の回動が規制されてラッチ７１のフルラッチ状態が維持される。
【００４４】
図３Ｂに示すように、ポール７４が第１位置から時計回り方向に回動すると、第２アーム７１Ｃとの当接が解除される。ラッチ７１は、クロージャモータ７５の駆動力により時計回り方向に回動する。
【００４５】
図３Ｃに示すように、ポール７４がさらに回動して第２位置に位置すると、ポール７４とラッチ７１の第１アーム７１Ｂとが当接する。このとき、ラッチ７１は、ハーフラッチ状態の位置であり、ラッチ７１の回動がポール７４により規制されることにより、ラッチ７１の位置がハーフラッチ状態の位置に維持される。
【００４６】
図３Ｄに示すように、ポール７４がさらに回動して第３位置に位置すると、ポール７４とラッチ７１の第１アーム７１Ｂとの当接が解除される。これにより、ラッチ７１は、クロージャモータ７５の駆動力により時計回り方向に回動して、アンラッチ状態の位置に位置する。すなわち、ラッチ７１とストライカ７２との係合が完全に解除される。
【００４７】
また、ポール７４を第２位置から回動させなくても、ハーフラッチ状態のときのラッチ７１とストライカ７２との係合力は、フルラッチ状態のときと比べて弱くなっている。そのため、移動モータ３３の駆動力により、移動体２０を開方向に移動させる力によって、ラッチ７１とストライカ７２との係合を解除させることも可能である。
【００４８】
次に、ロック機構７０がアンラッチ状態からフルラッチ状態に遷移する際の動作について説明する。まず、図３Ｃおよび図３Ｄに示すように、ラッチ７１をアンラッチ状態の位置に位置させた状態で、移動体駆動部３０による移動体２０の移動により、ラッチ７１の凹部７１Ｄにストライカ７２が入る。そして、クロージャモータ７５の駆動力により、ラッチ７１が反時計回りに回動する。これにより、ロック機構７０がハーフラッチ状態となる。また、移動体駆動部３０による移動体２０の移動により、ラッチ７１をアンラッチ状態の位置からハーフラッチ状態の位置に強制的に移動させても良い。
【００４９】
そして、クロージャモータ７５の駆動力により、図３Ａおよび図３Ｂに示すように、ラッチ７１が反時計回り方向に回動して、ラッチ７１の凹部７１Ｄ内にストライカ７２を引き込むようにしてロック機構７０がフルラッチ状態となる。
【００５０】
なお、ロック機構７０は、クロージャモータ７５により駆動可能な構成であれば、どのような構成であっても良い。
【００５１】
［制御系の構成］
図４は、移動体移動装置１の制御系を示すブロック図である。
移動体移動装置１において、制御系は、制御部５０と、移動体検知部６０と、位置検知部８０と、電圧検知部９０とを備える。移動体移動装置１の制御系は、移動モータ３３を備える移動体駆動部３０により駆動される移動体２０を制御する。
【００５２】
［移動体検知部］
移動体検知部６０は、例えば移動体駆動部３０の動作を検知することで、移動体２０の位置の移動を検知し、その検知結果である移動体２０の移動情報を制御部５０に出力する。
【００５３】
例えば、移動体検知部６０は、ホール素子を含み、移動モータ３３の回転状態を磁気的に検知することで、移動体駆動部３０の動作ひいては移動体２０の位置の移動を検知する。この場合、移動モータ３３の回転軸に設けた円盤に、磁石を周方向に異なる間隔で配置し、これに対向する位置に、移動体検知部６０のホール素子を配置する。ホール素子により、移動モータ３３の回転軸の回転に伴って移動する磁石を捕捉してパルスを発生させる。制御部５０は、このパルスをカウントしたカウント値により、移動体２０の位置を算出し、カウント値の変化により、移動体２０の駆動速度を算出する。
【００５４】
移動体検知部６０は、捕捉したパルスをカウントし、制御部５０は、カウント値を移動体２０の移動情報として、制御部５０における移動体２０の位置および駆動速度の算出にパルスのカウント値を使用できるようにする。なお、移動体検知部６０が、パルスのカウントだけでなく、そのカウント値に基づく移動体２０の位置および駆動速度の算出をも行ったうえで、その算出結果を制御部５０へと出力するようにしても良い。
【００５５】
また、移動体検知部６０は、移動体２０の位置の移動に関する情報を検知可能であれば、どのような構成であっても良く、例えば、移動体駆動部３０の動作を検知することなく直接的に移動体２０の位置の移動を検知しても良い。検知の方式は、ホール素子を用いて磁気的に行うものに限られず、移動体２０の位置に応じたカウント値を生成可能であれば、どのような方式であっても良い。また、ここでは移動体検知部６０を、後述する制御部５０とは別々に設けられるものとして説明したが、移動体検知部６０は、制御部５０に組み込まれたものであっても良い。
【００５６】
なお、移動体検知部６０がカウント値ではない出力値を制御部５０に出力する場合、例えば移動体検知部６０の出力結果に応じて、予め設定されたカウント値を制御部５０が記憶部等から取得するようにしても良い。
【００５７】
［位置検知部］
位置検知部８０は、ラッチ７１の位置を検知する。具体的には、位置検知部８０は、例えば、ロック機構７０に設けられ、ロック機構７０のアンラッチ状態を検知して、その検知結果を制御部５０に出力する。位置検知部８０は、例えば、ラッチ７１の回動状態に基づいて、ラッチ７１がストライカ７２に係合したか否かを検知する。
【００５８】
位置検知部８０は、ラッチ７１がストライカ７２と係合してない状態の位置、つまり、図３Ｄの状態のとき、ＯＦＦ状態に遷移し、ラッチ７１がストライカ７２と係合した状態の位置、つまり、図３Ａ〜図３Ｃの状態のとき、ＯＮ状態に遷移するような検知スイッチを含む。具体的には、ロック機構７０には、図示しないリンク機構が設けられ、当該リンク機構を介することにより、ラッチ７１の回動状態に応じて、検知スイッチがＯＮ状態とＯＦＦ状態とに切り替わる。これにより、後述する制御部５０が、位置検知部８０が出力する、ＯＮ状態時の信号およびＯＦＦ状態時の信号に基づいて、ラッチ７１がストライカ７２に係合しているか否かについて判定する。
【００５９】
また、位置検知部８０は、アンラッチ状態やフルラッチ状態を検知可能なスイッチを含んでいても良い。
【００６０】
また、位置検知部８０は、ロック機構７０のラッチ状態を検知可能であれば、どのようなものであっても良い。
【００６１】
また、位置検知部８０は、移動体移動装置１に設けられていなくても良い。この場合、移動体移動装置１が、外部からラッチ状態の検知信号を取得できるようにすれば良い。
【００６２】
［電圧検知部］
電圧検知部９０は、クロージャモータ７５に印加される電圧値を測定する。具体的には、電圧検知部９０は、例えば制御部５０内に設けられる電圧検知回路であり、クロージャモータ７５の端子等から、クロージャモータ７５に印加される電圧値を測定する。なお、電圧検知部９０は、クロージャモータ７５に印加される電圧値を測定可能であれば、どのようなものであっても良い。
【００６３】
［制御部］
制御部５０は、ＣＰＵ（Central Processing Unit）、ＲＯＭ（Read Only Memory）、ＲＡＭ（Random Access Memory）等を備える。ＣＰＵは、ＲＯＭから処理内容に応じたプログラムを読み出してＲＡＭに展開し、展開したプログラムと協働して移動体移動装置１の各ブロックの動作を集中制御する。このとき、記憶部（図示略）に格納されている各種データが参照される。記憶部（図示略）は、例えば不揮発性の半導体メモリ（いわゆるフラッシュメモリ）やハードディスクドライブで構成される。制御部５０は、例えば、車両の各部を制御するＥＣＵ（Electronic Control Unit）に組み込まれても良く、また、移動体駆動部３０に搭載されていても良い。
【００６４】
制御部５０は、移動体２０が開状態と閉状態との間で移動するように、移動体駆動部３０を制御する。また、制御部５０は、クロージャモータ７５によるラッチ７１とストライカ７２との係合作動と解除作動とを制御する。制御部５０は、一体で有る必要はなく、制御部５０を構成する複数の制御要素が、それぞれ移動体駆動部３０とロック機構とを制御してもよい。
【００６５】
まず、ラッチ７１とストライカ７２との解除作動の制御と、移動体２０の移動制御について説明する。
【００６６】
制御部５０は、移動体２０を閉状態から開状態に遷移させる場合、ラッチ７１とストライカ７２との解除作動を制御する。具体的には、制御部５０は、ラッチ７１とストライカ７２との係合が解除するようにロック機構７０の制御を行う。制御部５０は、ラッチ７１を、図３Ａに示すフルラッチ状態の位置から図３Ｄに示すアンラッチ状態の位置に移動させるように、クロージャモータ７５を制御する。制御部５０は、位置検知部８０の検知結果に基づいて、移動体２０を開状態に向けて移動させるように移動モータ３３を制御する。
【００６７】
クロージャモータ７５の駆動により、ラッチ７１が図３Ａに示す位置から、図３Ｄに示す位置まで回転すると、位置検知部８０の信号が、上述のＯＮ状態からＯＦＦ状態に切り替わる。移動体２０は、位置検知部８０の信号がＯＮ状態からＯＦＦ状態に切り替わったことをもって開状態に向けて移動するように制御される。
【００６８】
次に、ラッチ７１とストライカ７２との係合作動の制御と、移動体２０の移動制御について説明する。
【００６９】
制御部５０は、移動体２０を開状態から閉状態に遷移させる場合、ラッチ７１とストライカ７２との係合作動を制御する。具体的には、制御部５０は、ラッチ７１とストライカ７２とが係合するようにロック機構７０の制御を行う。制御部５０は、移動体２０を閉状態に向けて移動させるように移動モータ３３を制御する。
【００７０】
なお、移動体２０が開状態であるとき、ラッチ７１の位置が、アンラッチ状態以外の待機位置で待機している場合、制御部５０は、ラッチ７１をアンラッチ状態の位置に移動するようにクロージャモータ７５を制御しても良い。その後、制御部５０は、移動体２０を閉状態に向けて移動させるように移動モータ３３を制御する。
【００７１】
待機位置は、例えば図３Ｄに示す位置よりも時計回り方向の下流側の位置であり、ラッチ７１の凹部７１Ｄがストライカ７２を受入不能、かつ、係合不能な位置である。ラッチ７１のアンラッチ状態の位置は、例えば、フルラッチ状態の位置と待機位置との中間の位置とすることができる。
【００７２】
移動体２０が移動してストライカ７２がアンラッチ状態のラッチ７１の凹部７１Ｄに入り込んだ後、制御部５０は、クロージャモータ７５を駆動させて、ラッチ７１をアンラッチ状態からフルラッチ状態に遷移させる。これにより、移動体２０が閉状態でロックされる。
【００７３】
また、制御部５０は、移動体２０の移動に起因して、ラッチ７１がアンラッチ状態からハーフラッチ状態に強制的に移動するような場合、位置検知部８０の検知結果に基づいて、クロージャモータ７５を駆動させても良い。具体的には、ストライカ７２がラッチ７１の凹部７１Ｄに入り込んで、ラッチ７１を押圧することで、ラッチ７１がアンラッチ状態からハーフラッチ状態に遷移する。
【００７４】
そうすると、位置検知部８０の信号が、ＯＦＦ状態からＯＮ状態に切り替わる。これにより、ラッチ７１がハーフラッチ状態からフルラッチ状態になるようにクロージャモータ７５が制御される。なお、制御部５０は、位置検知部８０の検知結果ではなく、移動体検知部６０の検知結果に基づいて、クロージャモータ７５を制御しても良い。
【００７５】
また、制御部５０は、ラッチ７１の移動開始位置から所定位置までの移動において、予め設定された駆動時間に基づいて、クロージャモータ７５を制御する。具体的には、制御部５０は、ラッチ７１が、移動開始位置から所定位置まで移動するのに必要となる駆動時間だけ、クロージャモータ７５を制御する。
【００７６】
ラッチ７１の移動開始位置は、移動体２０が閉状態である場合、フルラッチ状態の位置である。ラッチ７１の移動開始位置は、移動体２０が開状態である場合、アンラッチ状態の位置であっても良いし、上記の待機位置であっても良い。
【００７７】
所定位置は、ラッチ７１の移動開始位置がフルラッチ状態の位置、または、待機位置である場合、ラッチ７１がストライカ７２を開放可能、または、受入可能な位置であるアンラッチ状態の位置とすることができる。また、所定位置は、ラッチ７１の移動開始位置がアンラッチ状態の位置である場合、例えば、フルラッチ状態の位置とすることができる。なお、所定位置は、任意に定めた位置であっても良い。
【００７８】
そして、制御部５０は、ラッチ７１の移動開始位置から所定位置までの移動において、位置検知部８０が異常であると判断した場合、ラッチ７１の位置を調整するようにクロージャモータ７５を制御する。
【００７９】
位置検知部８０が異常であるとは、例えば、位置検知部８０の信号が変動しないことにより、位置検知部８０が故障したと判断可能な場合が挙げられる。
【００８０】
例えば、ラッチ７１がフルラッチ状態の位置とアンラッチ状態の位置との間を移動した際、位置検知部８０が正常である場合、位置検知部８０の信号がＯＮ状態とＯＦＦ状態との間で切り替わる。しかし、ラッチ７１がフルラッチ状態の位置とアンラッチ状態の位置との間を移動した際、位置検知部８０が故障している場合には、位置検知部８０の信号に変動がない。そのため、位置検知部８０の信号が変動しないことをもって、位置検知部８０が故障したと判断することも可能である。
【００８１】
また、位置検知部８０が異常であるとは、例えば、移動体移動装置１の周囲の温度や、移動体移動装置１の作動環境によって、クロージャモータ７５の電圧が変化して、ラッチ７１が所定位置に移動していないと判断可能な場合も挙げられる。
【００８２】
例えば、移動体移動装置１の周囲の温度が低くなると、クロージャモータ７５に印加される電圧が低くなる。また、移動体移動装置１においては、車体内でのエアコンの作動など、移動モータ３３やクロージャモータ７５以外の部分でバッテリーの電力を消費する場合がある。この場合、相対的にクロージャモータ７５に印加される電圧が低くなる。
【００８３】
このように、クロージャモータ７５に印加される電圧が変化すると、予め設定された駆動時間におけるクロージャモータ７５の駆動量に基づくラッチ７１の移動量が変化する。その結果、ラッチ７１が想定した位置にラッチ７１が移動しない状況が発生する。具体的には、ラッチ７１がフルラッチ状態の位置からアンラッチ状態の位置に移動する際、アンラッチ状態の位置への移動量が不足するような場合、位置検知部８０からの信号は当然変化しない。このような場合、ラッチ７１が所定位置に移動していないと判断可能である。
【００８４】
また、ラッチ７１が、上記の待機位置からアンラッチ状態の位置に移動する際、ラッチ７１がアンラッチ状態の位置を通り越してハーフラッチ状態の位置まで移動すると、位置検知部８０の信号がＯＮ状態となる。すなわち、この場合についても、ラッチ７１が所定位置に移動していないと判断可能である。
【００８５】
これらの場合、制御部５０が位置検知部８０の検知結果により、ラッチ７１の位置がアンラッチ状態の位置ではないと判断するため、移動体２０を移動させるための判断基準を満たすことができなくなる。
【００８６】
そこで、本実施の形態では、制御部５０により、位置検知部８０が異常であると判断した場合、ラッチ７１の位置が調整される。
【００８７】
具体的には、制御部５０は、ラッチ７１の移動開始位置から現在位置までの移動した際、当該移動開始位置での、クロージャモータ７５における第１初期電圧と、基準電気量と、から必要駆動時間を算出する。
【００８８】
第１初期電圧は、ラッチ７１が移動開始位置から現在位置まで移動する際における、当該移動開始位置でクロージャモータ７５に印加された初期電圧であり、電圧検知部９０の検知結果に基づく値である。
【００８９】
基準電気量は、ラッチ７１の移動開始位置から所定位置までの過去の移動に要した時間に対して、当該移動の際の移動開始位置でのクロージャモータ７５における第２初期電圧を乗じた電気量である。
【００９０】
また、上記の過去の移動は、例えばラッチ７１の過去の移動履歴のうち、位置検知部８０が異常ではないときにおける、最新の移動であることが好ましい。これにより、クロージャモータ７５等の経年劣化を考慮した基準電気量を算出することができる。また、過去の移動履歴がない場合、予め設定された基準電気量の初期値を用いても良い。なお、基準電気量は、上記の過去の移動に限定されず、上記の初期値であっても良い。
【００９１】
制御部５０は、位置検知部８０が異常であると判断したタイミングで、基準電気量を算出しても良いし、当該過去の移動時のタイミングで算出しても良い。制御部５０は、算出した基準電気量を、例えば図示しない記憶部等に記憶させる。
【００９２】
制御部５０は、第１初期電圧と、移動開始位置から現在位置までラッチ７１が移動する間のクロージャモータ７５の駆動時間とを乗じた現在移動電気量と、基準電気量との差分値を算出する。そして、当該差分値と、第１初期電圧とに基づいて、制御部５０は、ラッチ７１が現在位置から、本来ラッチ７１が位置すべき所定位置まで移動するのに必要となる、クロージャモータ７５の必要駆動時間を算出する。
【００９３】
そして、制御部５０は、その必要駆動時間だけクロージャモータ７５を駆動させる。これにより、ラッチ７１は、現在位置から所定位置まで移動する。具体的には、制御部５０は、ラッチ７１の移動が不足している場合、ラッチ７１を不足分だけ移動させるように、クロージャモータ７５を駆動させる。また、制御部５０は、ラッチ７１の移動が過剰である場合、ラッチ７１が所定位置を通り越した分だけ、戻し移動させるように、クロージャモータ７５を駆動させる。
【００９４】
このようにすることで、位置検知部８０の異常に起因して、ラッチ７１が所定位置に移動していないような場合でも、ラッチ７１を所定位置に移動させることができる。そのため、クロージャモータ７５に印加される電圧が変化した場合でも、クロージャモータ７５によって駆動するロック機構７０のラッチ７１が所定位置に位置するように制御することができる。
【００９５】
また、必要駆動時間が０付近の値となる場合、ラッチ７１は略所定位置であることが考えられる。この場合、制御部５０は、位置検知部８０が故障していると判定しても良い。このようにすることで、位置検知部８０が故障の有無を正確に判断することができる。また、この場合、制御部５０は、位置検知部８０が故障していることを周囲に報知するための報知指令を出力するようにしても良い。このようにすることで、ユーザに位置検知部８０の故障を迅速に知らせることができる。
【００９６】
［移動体移動装置におけるラッチの駆動制御］
図５は、移動体移動装置１におけるラッチ７１の駆動制御の説明に供するフローチャートである。なお、図５における制御は、例えば移動体２０を移動させるための動作指示を受けたときに実行される。
【００９７】
図５に示すように、制御部５０は、ラッチ７１を駆動させるようにクロージャモータ７５を制御する（ステップＳ１０１）。次に、制御部５０は、位置検知部８０に異常があるか否かについて判定する（ステップＳ１０２）。
【００９８】
判定の結果、位置検知部８０に異常がない場合（ステップＳ１０２、ＮＯ）、本制御は終了する。一方、位置検知部８０に異常がある場合（ステップＳ１０２、ＹＥＳ）、制御部５０は、基準電気量を算出する（ステップＳ１０３）。
【００９９】
次に、制御部５０は、算出した基準電気量に基づいて、クロージャモータ７５の必要駆動時間を算出する（ステップＳ１０４）。そして、制御部５０は、算出した必要駆動時間だけラッチ７１を駆動するようにクロージャモータ７５を制御する（ステップＳ１０５）。その後、本制御は終了する。なお、ステップＳ１０５の後、移動体２０の移動制御や、ラッチ７１をフルラッチ状態の位置等に移動させる制御が適宜行われる。
【０１００】
以上のように構成された本実施の形態によれば、位置検知部８０の異常に起因して、ラッチ７１が所定位置に移動していないような場合でも、ラッチ７１を所定位置に移動させることができる。すなわち、クロージャモータ７５に印加される電圧が変化した場合でも、クロージャモータ７５によって駆動するロック機構７０のラッチ７１が所定位置に位置するように制御することができる。その結果、ラッチ７１とストライカ７２との係合作動および解除作動を精度良く行うことができる。
【０１０１】
また、基準電気量を、ラッチ７１の過去の移動履歴のうち、位置検知部８０が異常ではないときにおける、最新の移動に要した時間に基づいて算出するので、クロージャモータ７５の経年劣化を考慮した基準電気量を算出することができる。その結果、正確な必要駆動時間を算出することができる。
【０１０２】
また、必要駆動時間を算出することにより、位置検知部８０が故障しているか否かを正確に判定することができる。
【０１０３】
なお、上記実施の形態では、位置検知部８０がアンラッチ状態の位置のみを基準とした信号変動に基づいて位置検知部８０の異常を判断していたが、本発明はこれに限定されない。例えば、位置検知部８０が、アンラッチ状態の位置、ハーフラッチ状態の位置およびフルラッチ状態の位置の１つ以上を基準とした信号変動に基づいて位置検知部８０の異常を判断しても良い。
【０１０４】
また、上記実施の形態では、ラッチ７１の移動開始位置がフルラッチ状態の位置、または、待機位置である場合の制御について例示したが、本発明はこれに限定されず、ラッチ７１の移動開始位置がアンラッチ状態の位置であっても良い。
【０１０５】
この場合、位置検知部８０は、ロック機構７０がフルラッチ状態であるか否かを検知可能であれば良い。ラッチ７１がアンラッチ状態の位置からフルラッチ状態の位置に移動する際、クロージャモータ７５に印加される電圧が変化した場合、ラッチ７１のフルラッチ状態の位置への移動が不足すると、移動体２０の開口部材１０に対するロックが緩くなってしまう。
【０１０６】
ラッチ７１がフルラッチ状態の位置に移動していないため、位置検知部８０の信号が変動しない。そのため、制御部５０は、位置検知部８０が異常であると判断し、現在位置から所定位置までの必要駆動時間を算出する。そして、制御部５０は、その必要駆動時間だけクロージャモータ７５を駆動させることにより、ラッチ７１を所定位置（フルラッチ状態の位置）まで移動させる。これにより、ラッチ７１の移動の精度を向上させることができる。
【０１０７】
また、上記実施の形態では、制御部５０が、移動体駆動部３０およびロック機構７０を制御していたが、本発明はこれに限定されず、複数の制御部が、移動体駆動部およびロック機構のそれぞれを別々に制御する構成であっても良い。
【０１０８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１０９】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【０１１０】
本発明に係る移動体移動装置は、電圧が変化した場合でも、駆動部によって駆動するロック機構の係合部を所定の位置に位置するように制御することが可能な移動体移動装置として有用である。
【符号の説明】
【０１１１】
１  移動体移動装置
１０  開口部材
１１  開口部
２０  移動体
３０  移動体駆動部
３１  本体筒部
３２  スライド筒部
３３  移動モータ
５０  制御部
６０  移動体検知部
７０  ロック機構
７１  ラッチ
７１Ａ  基部
７１Ｂ  第１アーム
７１Ｃ  第２アーム
７１Ｄ  凹部
７２  ストライカ
７３  回動軸
７４  ポール
７５  クロージャモータ
８０  位置検知部
９０  電圧検知部
【図１】
2020094381.tif 000003
【図２】
2020094381.tif 000004
【図３Ａ】
2020094381.tif 000005
【図３Ｂ】
2020094381.tif 000006
【図３Ｃ】
2020094381.tif 000007
【図３Ｄ】
2020094381.tif 000008
【図４】
2020094381.tif 000009
【図５】
2020094381.tif 000010